(57)【特許請求の範囲】
【請求項１】
ユーザの嗜好に合致するコンテンツの受信開始時に、受信した前記コンテンツの送出を受け表示する表示装置において前記嗜好を有するユーザが前記コンテンツを現実に視聴しているか否かを判断する判断手段と、
前記コンテンツの受信開始時に前記ユーザが現実に視聴していないと判断すると、前記コンテンツを自動的に録画する録画手段と、
を含み、
前記判断手段は、前記表示装置に対するコンテンツの送出を受けるため必要なユーザ認証手続きを行っているかを分析することにより、前記ユーザが前記コンテンツを現実に視聴しているか否かを判断することを特徴とする情報処理装置。
【請求項２】
前記コンテンツの放送日当日であることを前記ユーザに対して通知する手段を含むことを特徴とする請求項１に記載の情報処理装置。
【請求項３】
前記ユーザの嗜好を、特定の公衆によって利用されるソーシャル・ネットワーキング・サービスサーバを介して前記ユーザと他人とが交わしているメッセージの中から抽出する手段をさらに含むことを特徴とする請求項１又は２に記載の情報処理装置。
【請求項４】
前記ユーザの嗜好を、前記ユーザが所定期間内にアクセスしたＷｅｂサーバの種類に基づいて抽出する手段をさらに含むことを特徴とする請求項１から３の何れか１項に記載の情報処理装置。
【請求項５】
ユーザの嗜好に合致するコンテンツの受信開始時に、受信した前記コンテンツの送出を受け表示する表示装置を有する情報処理装置の制御方法であって、
前記嗜好を有するユーザが前記コンテンツを現実に視聴しているか否かを判断する工程と、
前記判断する工程において前記コンテンツの受信開始時に前記ユーザが現実に視聴していないと判断すると、前記コンテンツを自動的に録画する工程と、
を含み、
前記判断する工程は、前記表示装置に対するコンテンツの送出を受けるため必要なユーザ認証手続きを行っているかを分析することにより、前記ユーザが前記コンテンツを現実に視聴しているか否かを判断することを特徴とする制御方法。
【請求項６】
ユーザの嗜好に合致するコンテンツの受信開始時に、受信した前記コンテンツの送出を受け表示する表示装置を有する情報処理装置のコンピュータに、
前記嗜好を有するユーザが前記コンテンツを現実に視聴しているか否かを判断する処理と、
前記判断する処理において前記コンテンツの受信開始時に前記ユーザが現実に視聴していないと判断すると、前記コンテンツを自動的に録画する処理と、
を実現させるためのプログラムであり、
前記判断する処理は、前記表示装置に対するコンテンツの送出を受けるため必要なユーザ認証手続きを行っているかを分析することにより、前記ユーザが前記コンテンツを現実に視聴しているか否かを判断することを特徴とするプログラム。
【発明の詳細な説明】
【技術分野】
【０００１】
本発明は、情報処理装置、制御方法、及びプログラムに関する。
【背景技術】
【０００２】
個々のユーザが「ツイート」（Tweet）と称される短文を投稿し、閲覧できるコミュニケーション・サービスとして、公衆が利用可能なコミュニティサイトであるTwitter（ツイッター：登録商標）の利用者に加え、実名と本人の顔写真、実社会でのプロフィールの登録が義務付けられたアカウントを有する個人が参加するソーシャル・ネットワーキング・サービス（以下、「ＳＮＳ」という。）として、Facebook（登録商標）のユーザが急速に増加している。また、不特定多数の人々が、ある特定のテーマ、話題に関して個人的な感想や、意見を自由に投稿することができる、いわゆるＷｅｂ掲示板の利用も増加している。
【０００３】
特許文献１には、Twitter（ツイッター）等に代表されるようなメッセージ送受信サービスにおいて送信されるメッセージ内に、録画予約に最低限必要とされる単語の組み合わせ（放送局、日時）が含まれていれば、録画予約装置に対して、外出先からユーザが録画予約を行うことができる技術が開示されている。
【０００４】
非特許文献１には、録画したい番組をツイートしたり、ダイレクトメッセージを使ったりすることで、自宅のパソコンで録画予約ができること、録画予約を忘れたときでも、スマートフォンや携帯電話等のTwitter機能を使って録画予約できる技術が開示されている。さらに、録画予約が登録されると、投稿したアカウントに対して予約したことを通知するダイレクトメッセージを送信する技術、及び録画が完了すると、ダイレクトメッセージで通知する技術が開示されている。
【先行技術文献】
【特許文献】
【０００５】
【特許文献１】特開２０１２−１３４６８９号公報
【非特許文献】
【０００６】
【非特許文献１】ＮＥＣパソコン  ＬａＶｉｅ＆ＶＡＬＵＥＳＴＡＲ  できることガイド、“デジタルテレビを楽しむ  つぶやきプラス  Twitterリモート録画予約”、［online］、平成２４年  ２月、［平成２５年２月２５日検索］、インターネット〈URL：http://121ware.com/navigate/products/pc/121q/share/strongpoint/index.html〉
【発明の概要】
【発明が解決しようとする課題】
【０００７】
しかしながら、上記特許文献１に記載された技術では、外出先から録画予約を行うためには、メッセージ内に、録画予約に最低限必要とされる単語の組み合わせを含む文章をいちいち入力する必要があるという煩わしさがある。また、非特許文献１に記載された技術でも、同様な煩わしさがある。さらに、録画予約をする番組は、ユーザ自身が興味関心を抱いており、是非とも視聴したい番組である可能性が高いと考えられるが、ユーザ自身が、録画予約を忘れてしまうと、視聴したいと考えている番組を、見す見す見逃してしまうという問題もある。
【０００８】
そこで本発明は、上記従来の問題点に鑑みてなされたもので、ユーザの嗜好に合致し、興味関心が高いテレビ番組をユーザが見逃さないようにすることが可能な情報処理装置、制御方法、及びプログラムを提供することを目的とする。
【課題を解決するための手段】
【０００９】
上記課題を解決するため、請求項１に記載の本発明における情報処理装置は、ユーザの嗜好に合致するコンテンツの受信開始時に、受信した前記コンテンツの送出を受け表示する表示装置において前記嗜好を有するユーザが前記コンテンツを現実に視聴しているか否かを判断する判断手段と、前記コンテンツの受信開始時に前記ユーザが現実に視聴していないと判断すると、前記コンテンツを自動的に録画する録画手段と、を含み、前記判断手段は、前記表示装置に対するコンテンツの送出を受けるため必要なユーザ認証手続きを行っているかを分析することにより、前記ユーザが前記コンテンツを現実に視聴しているか否かを判断することを特徴とする。
【００１０】
また、請求項２に記載の本発明における情報処理装置は、請求項１に記載の情報処理装置において、前記コンテンツの放送日当日であることを前記ユーザに対して通知する手段を含むことを特徴とする。
【００１２】
また、請求項３に記載の本発明における情報処理装置は、請求項１又は２に記載の情報処理装置において、前記ユーザの嗜好を、特定の公衆によって利用されるソーシャル・ネットワーキング・サービスサーバを介して前記ユーザと他人とが交わしているメッセージの中から抽出する手段をさらに含むことを特徴とする。
【００１３】
そして、請求項４に記載の本発明における情報処理装置は、請求項１から３の何れか１項に記載の情報処理装置において、前記ユーザの嗜好を、前記ユーザが所定期間内にアクセスしたＷｅｂサーバの種類に基づいて抽出する手段をさらに含むことを特徴とする。
【００１４】
また、上記課題を解決するため、請求項５に記載の本発明における情報処理装置の制御方法は、ユーザの嗜好に合致するコンテンツの受信開始時に、受信した前記コンテンツの送出を受け表示する表示装置を有する情報処理装置の制御方法であって、前記嗜好を有するユーザが前記コンテンツを現実に視聴しているか否かを判断する工程と、前記判断する工程において前記コンテンツの受信開始時に前記ユーザが現実に視聴していないと判断すると、前記コンテンツを自動的に録画する工程と、を含み、前記判断する工程は、前記表示装置に対するコンテンツの送出を受けるため必要なユーザ認証手続きを行っているかを分析することにより、前記ユーザが前記コンテンツを現実に視聴しているか否かを判断することを特徴とする。
【００１５】
さらに、上記課題を解決するため、請求項６に記載の本発明におけるプログラムは、ユーザの嗜好に合致するコンテンツの受信開始時に、受信した前記コンテンツの送出を受け表示する表示装置を有する情報処理装置のコンピュータに、前記嗜好を有するユーザが前記コンテンツを現実に視聴しているか否かを判断する処理と、前記判断する処理において前記コンテンツの受信開始時に前記ユーザが現実に視聴していないと判断すると、前記コンテンツを自動的に録画する処理と、を実現させるためのプログラムであり、前記判断する処理は、前記表示装置に対するコンテンツの送出を受けるため必要なユーザ認証手続きを行っているかを分析することにより、前記ユーザが前記コンテンツを現実に視聴しているか否かを判断することを特徴とする。
【発明の効果】
【００１７】
本発明によれば、ユーザの嗜好に合致し、興味関心が高いテレビ番組をユーザが見逃さないようにすることが可能な情報処理装置、制御方法、及びプログラムが得られる。
【図面の簡単な説明】
【００１８】
【図１】本発明の実施形態における情報処理装置を含む情報処理システム全体の構成を示す図である。
【図２】本発明の実施形態における情報処理装置の全体構成について説明する概略ブロック図である。
【図３】本発明の実施形態におけるＷｅｂサーバの全体構成について説明する概略ブロック図である。
【図４】本発明の実施形態における情報処理装置の機能ブロック図である。
【図５】本発明の実施形態における情報処理装置の動作について説明するフローチャートである。
【図６】本発明の実施形態における情報処理装置の動作について説明する図である。
【発明を実施するための形態】
【００１９】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、ユーザの嗜好に合致するコンテンツの受信開始時に、受信したコンテンツの送出を受け表示する表示装置において嗜好を有するユーザがコンテンツを現実に視聴しているか否かを判断する判断手段と、コンテンツの受信開始時にユーザが現実に視聴していないと判断すると、コンテンツを自動的に録画する録画手段と、を含むことにより、ユーザの嗜好に合致し、興味関心が高いテレビ番組をユーザが見逃さないようにすることができるのである。
【００２０】
まず、図１を用いて本発明の実施形態における情報処理装置を含む情報処理システム全体の構成について説明する。図１は、本発明の実施形態における情報処理装置を含む情報処理システム全体の構成を示す図である。図１を参照すると、本発明の実施形態における情報処理装置を含む情報処理システム１０は、例えば、パーソナルコンピュータ（以下、ＰＣともいう。）を代表とする情報処理装置１００、２００が、インターネット等の広く公衆によって接続可能なネットワーク４００を介してＷｅｂサーバ６００に接続されている。また、ＰＣ１００、２００は、放送局５００から送信される放送波や、Ｗｅｂサーバ６００から送出されるコンテンツを受信することができるようになっている。なお、ＰＣ１００、２００には、ＰＣ以外にスマートフォン３００等の携帯情報端末も含まれることは勿論である。
【００２１】
また、Ｗｅｂサーバ６００は、ＰＣ１００、２００、及びスマートフォン３００と、インターネット等のネットワーク４００を介して接続されている。そして、ＰＣ１００、２００、及びスマートフォン３００から発せられた任意のＷｅｂページに接続したい旨のアクセス要求に対して、ＵＲＬ（Uniform Resource Locator）で特定されたＷｅｂサーバ６００から提供されるＷｅｂページの閲覧が可能となる。なお、図１中には、インターネット等のネットワーク４００に対してＰＣ１００、２００、及び３００のみ接続されているが、情報処理装置は３台に限定されず、複数台接続されていることはいうまでも無い。
【００２２】
次に、本発明の実施形態における情報処理装置の全体構成について説明する。図２は、本発明の実施形態における情報処理装置の全体構成について説明する概略ブロック図である。ＰＣ１００、２００は、ＴＶチューナ部１０１と、ネットワーク接続部１０５と、ＣＰＵ（Central Processing Unit）１０６と、ＲＯＭ（Read Only Memory）１０２と、ＲＡＭ（Random Access Memory）１０３と、ＨＤＤ（Hard Disk Drive）１０４と、表示部１０７と、入力部１０８と、電源部１０９とから構成される。
【００２３】
ＴＶチューナ部１０１は、放送局５００から送信される地上デジタル、ＢＳ（Broadcasting Satellite）、及びＣＳ（Communications Satellite）放送をアンテナから受信し復調するものである。ネットワーク接続部１０５は、インターネットに代表されるネットワーク４００に接続され、ネットワーク４００とのインタフェースを図るものである。ＣＰＵ１０６は、ＰＣ１００、２００全体の動作を制御するものであり、ＲＯＭ１０２に格納された制御プログラムをロードし、ＰＣ１００、２００の動作によって得られた様々なデータをＲＡＭ１０３に展開するものである。ＨＤＤ１０４は、ＰＣ１００、２００のアプリケーションソフトウェアプログラムを格納したり、ＴＶチューナ部１０１によって受信されたテレビ番組や、Ｗｅｂサーバ６００から送出されるコンテンツ（以下、これ等をまとめてコンテンツともいう。）を録画したりするものである。なお、後述するように、ＣＰＵ１０６は、ユーザの嗜好に合致するコンテンツが送出される際、当該嗜好を有するユーザを認識し、当該ユーザがそのコンテンツを現実に視聴しているか否かを、当該ユーザからの要求に応じたコンテンツの受信開始時に判断している。
【００２４】
表示部１０７は、ＬＣＤ（Liquid Crystal Display）等で構成される表示画面であり、ＰＣ１００によって実行されたアプリケーションソフトウェアプログラムの結果やＴＶチューナ部１０１によって受信されたテレビ番組、及びＷｅｂサーバ６００から受信したコンテンツを表示するものである。入力部１０８は、キーボード、マウス、タッチパネル等、ユーザがＰＣ１００、２００に対して指示を与えるものである。そして、電源部１０９は、ＰＣ１００、２００に対してＡＣ（Alternative Current：交流）、又はＤＣ（Direct Current：直流）電源を与えるものである。
【００２５】
次に、本発明の実施形態におけるＷｅｂサーバの全体構成について説明する。図３は、本発明の実施形態におけるＷｅｂサーバの全体構成について説明する概略ブロック図である。Ｗｅｂサーバ６００は、ネットワーク接続部６０３と、ＣＰＵ６０４と、ＲＯＭ６０１と、データベース部６０２と、表示部６０５と、操作部６０６と、電源部６０７とから構成される。
【００２６】
ネットワーク接続部６０３は、インターネットに代表されるネットワーク４００に接続され、ネットワーク４００とのインタフェースを図るものである。ＣＰＵ６０４は、Ｗｅｂサーバ６００全体の動作を制御するものであり、ＲＯＭ６０１に格納された制御プログラムをロードし、ＣＰＵ６０４の動作によって得られた様々なデータをデータベース部６０２に展開したり、後述するように、ユーザの嗜好に合致するコンテンツを送出したりするものである。表示部６０５は、ＬＣＤ等で構成される表示画面であり、Ｗｅｂサーバ６００によってデータベース部６０２に格納されたデータの格納状況等を表示するものである。操作部６０６は、キーボード、マウス、タッチパネル等、Ｗｅｂサーバ６００の保守者が、Ｗｅｂサーバ６００に対して指示を与えるものである。そして、電源部６０７は、Ｗｅｂサーバ６００に対してＡＣ又はＤＣ電源を与えるものである。
【００２７】
次に、本発明の実施形態における情報処理装置の機能ブロックについて説明する。図４は、本発明の実施形態における情報処理装置の機能ブロック図である。
【００２８】
図４において、ＰＣ１００は、放送局５００（図１）から送信される放送波を受信する複数のチューナ部１１０、１１１、１１２、及び１１３と、チューナ部１１０、１１１、１１２、及び１１３により復調されたテレビ番組や、Ｗｅｂサーバ６００から送出されるコンテンツを記録し再生するコンテンツ記録再生部１１４と、放送局５００から送信される電波の隙間を使って送信される電子番組ガイド（ＥＰＧ：Electronic Program Guide）を管理するＥＰＧ情報管理部１１７と、液晶（ＬＣＤ）等のディスプレイ１２１にテレビ番組を表示する動画表示処理部１１５と、を含んで構成されている。
【００２９】
なお、ディスプレイ１２１には、ライブ放送されているテレビ番組の画面、録画されたテレビ番組の再生画面、録画されたテレビ番組の一覧表、Ｗｅｂサーバ６００から受信するコンテンツが表示されることは勿論であるが、後述するＥＰＧ情報管理部１１７により取得された、過去に放送された番組、現在放送されている番組、又は今後放送される予定の番組の番組表も表示される。また、テレビ番組と後述するFacebook画面とを並べて表示したり、Facebook画面をテレビ画面のバックグラウンドで表示したりすることも可能である。
【００３０】
さらに、ＰＣ１００は、インターネット等の公衆に利用可能なネットワーク４００（図１）を介してＷｅｂサーバ６００に接続するためのネットワーク接続処理部１２０と、ＥＰＧ情報管理部１１７から送信される電子番組表、及びネットワーク接続処理部１２０を介して受信される、特定の公衆によって利用される図示しないＳＮＳサーバを介して他人と交わしているメッセージを、当該メッセージを交わしているスマートフォン等の携帯情報端末、又はＳＮＳサーバから取得して記録する関連情報取得記録部１１９と、関連情報取得記録部１１９で記録されたメッセージからユーザの嗜好を抽出し、当該ユーザの嗜好に合致する映像を解析する映像解析処理部１１６と、ユーザの嗜好に合致するコンテンツの視聴をユーザに対して促す表示をディスプレイ１２１に行う関連情報表示部１１８と、を含んで構成されている。
【００３１】
次に、本発明の実施形態における情報処理装置の動作について説明する。図５は、本発明の実施形態における情報処理装置の動作について説明するフローチャートである。
【００３２】
まず、ステップ（以下、Ｓという。）５０１の処理では、ＰＣ１００のユーザが、ＳＮＳを介して他人と会話を行っているか否かが判断される。ユーザが、ＳＮＳを介して他人と会話を行っていない（Ｓ５０１：ＮＯ）と判断されると、処理を終了する。ＳＮＳを介して他人と会話を行っている（Ｓ５０１：ＹＥＳ）と判断されると、Ｓ５０２の処理へ移行する。
【００３３】
Ｓ５０２の処理では、ユーザがＳＮＳを介して他人と行っている会話の中から、ユーザの嗜好を抽出する。例えば、会話中に存在するスポーツに関する話題、芸能に関する話題、お笑いに関する話題、政治に関する話題等、会話の中に登場するキーワードを拾い集め、これ等のキーワードの中から会話に登場する頻度が最も高いキーワードが属するカテゴリが、ユーザの好むカテゴリ（嗜好）であると判断する。なお、このユーザの嗜好を抽出する方法は、如何なる方法を用いても良い。
【００３４】
例えば、ユーザの嗜好を、ユーザの行動を監視することによって抽出するようにしても良い。具体的には、ユーザがＰＣ１００を購入してから現時点に至るまで、又は直近の所定期間（１年、１ヵ月、１週間等）にネットワーク接続部１０５（図２）を介してアクセスしたＷｅｂサーバ６００の種類（インターネットの閲覧履歴（アクセス頻度、閲覧時間の長短等））に基づいて、ユーザの振る舞いを監視し、ユーザが如何なる分野の情報に対して興味関心を抱いているかを分析し、この分析結果に基づいてユーザの嗜好を抽出するようにしても良い。
【００３５】
ここで、ユーザがＳＮＳを介して他人と行うメッセージが、ユーザと他人との間でスマートフォン等の携帯情報端末を用いて行われたものである場合には、メッセージ終了後に、ユーザが他人と行ったメッセージとは異なるアカウントを用いてＰＣ１００に対して転送、又はＰＣ１００と情報を共有することにより、ＰＣ１００に対してユーザのメッセージ情報を登録することができる。
【００３６】
また、ユーザ自らがＰＣ１００に対してユーザのメッセージを登録しなくても、ユーザによってスマートフォン等の携帯情報端末からなされたメッセージは、ＳＮＳサーバに履歴情報（ログ）として記憶されているので、ＰＣ１００が、その履歴情報（ログ）をＳＮＳサーバからダウンロードすることにより、ＰＣ１００側でメッセージ情報を取得することができる。さらに、屋外で使用しているスマートフォンから屋内のＶＰＮ（Virtual Private Network）等の仮想プライベートネットワークを介して直接ＰＣ１００に対してメッセージ情報を送信するようにしても良い。そして、関連情報取得記録部１１９に記録されたメッセージ情報に基づいて、ＣＰＵ１０６（図２）がユーザの嗜好を抽出する。
【００３７】
Ｓ５０３の処理では、ユーザの嗜好を抽出することができたか否かが判断される。ユーザの嗜好を抽出することができなかった（Ｓ５０３：ＮＯ）と判断されると、処理を終了する。ユーザの思考を抽出することができた（Ｓ５０３：ＹＥＳ）と判断されると、Ｓ５０４の処理へ移行する。
【００３８】
Ｓ５０４の処理では、電子番組ガイド（ＥＰＧ）を管理するＥＰＧ情報管理部１１７が、ユーザの嗜好に合致するテレビ番組があるか否かを判断する。ユーザの嗜好に合致するテレビ番組がない（Ｓ５０３：ＮＯ）と判断されると、処理を終了する。ユーザの嗜好に合致するテレビ番組がある（Ｓ５０３：ＹＥＳ）と判断されると、Ｓ５０５の処理へ移行する。
【００３９】
Ｓ５０５の処理では、ユーザの嗜好に合致するテレビ番組のメタ情報を、電子番組ガイド（ＥＰＧ）から抽出する。メタ情報とは、テレビ番組の放送日、放送開始終了時間、放送局、番組名、番組ジャンル等の電子データをいう。Ｓ５０６の処理では、このメタ情報に基づいて、テレビ番組の放送日時を認識する。Ｓ５０７の処理では、当該認識されたテレビ番組の存在をユーザに対して通知する。
【００４０】
Ｓ５０８の処理では、当該テレビ番組の放送日当日になったか否かが判断される。放送当日になっていない（Ｓ５０８：ＮＯ）と判断されると、放送当日になるまで待機する。放送当日になった（Ｓ５０８：ＹＥＳ）と判断されると、Ｓ５０９の処理へ移行する。Ｓ５０９の処理では、放送当日になったことをユーザに対して注意喚起（リマインド）する。このリマインドの方法については後述する。
【００４１】
Ｓ５１０の処理では、リマインドした番組をユーザが現実に視聴しているか否かが判断される。ユーザが現実に視聴している（Ｓ５１０：ＹＥＳ）と判断されると、処理を終了する。ユーザが現実に視聴していない（Ｓ５１０：ＹＥＳ）と判断されると、Ｓ５１１の処理へ移行する。Ｓ５１１の処理では、当該テレビ番組をコンテンツ記録再生部１１４（図４）に録画し、処理を終了する。
【００４２】
ここで、放送局５００（図１）から放送されるユーザの嗜好に合致するテレビ番組を、当該ユーザが現実に視聴しているか否かをどのように判断しているかについて説明する。例えば、ユーザが突然の残業を命じられ、放送開始時に帰宅できないためテレビ番組を視聴できない場合や、放送開始時にユーザがうたた寝をしてしまったり、度忘れしてしまったりする等、予定外の出来事によって当該テレビ番組を現実に視聴していない場合、さらに、ユーザの嗜好に合致するテレビ番組の放送開始時に、裏番組（バラエティー番組）等を視聴している場合等には、当該ユーザの嗜好に合致するテレビ番組を録画するようにしておく。そのため、ＰＣ１００の電源はオンしているが、放送開始時にユーザの嗜好に合致するテレビ番組を、ユーザが現実に視聴しているか否かを検知する手段（カメラ等）をＰＣ１００に搭載することにより、ユーザの視線やユーザの画像を分析するようにしても良い。
【００４３】
また、上記実施形態においては、放送局５００から放送され、ユーザの嗜好に合致するテレビ番組をユーザが現実に視聴しているか否かについて説明しているが、ユーザからの要求に応じてＷｅｂサーバ６００（図１）からネットワーク４００を介して受信するユーザの嗜好に合致するコンテンツを、ユーザが現実に視聴しているか否かを、ＰＣ１００に設けられたカメラの画像を分析したり、ユーザが当該コンテンツの送出を受けるため必要な手続きを行っているか（例えば、ユーザを認証するためにログインしているか）等を分析したりすることによって判断するようにしても良い。
【００４４】
次に、本発明の実施形態における情報処理装置の動作について説明する。図６は、本発明の実施形態における情報処理装置の動作について説明する図である。
【００４５】
まず、ＰＣ１００のユーザであるＡさんが、他人であるＢさんとＳＮＳサーバを介してＳＮＳを用いたメッセージのやり取りをしている。このとき、Ａさん、又はＢさんが使用している端末は、スマートフォン３００やタブレット端末７００等を一例とする携帯情報端末である。
【００４６】
メッセージのやり取りの中で、Ｂさんが、「あと５日でワールドカップ予選イラク戦だよ。」とメッセージを送ると、Ａさんは、「えー知らなかった！楽しみだね、観たいなー」というメッセージを返す。
【００４７】
そしてメッセージのやり取りが終了した後にＡさんがＢさんとやり取りを行ったメッセージとは異なるアカウントを用いてＢさんと行ったメッセージ内容を転送し、ＰＣ１００と情報を共有する。
【００４８】
あるいは、ＡさんとＢさんとの間でやり取りされたメッセージ情報は、ＳＮＳサーバに履歴情報（ログ）として格納されているので、ＰＣ１００が、その履歴情報（ログ）をＳＮＳサーバからダウンロードすることにより、２人の間で話題になっていたメッセージ情報を取得する。
【００４９】
さらには、Ａさん自身が、Ｂさんと行ったメッセージ情報を、スマートフォン３００又はタブレット端末７００を用いてＰＣ１００に直接送信するようにしても良い。
【００５０】
これにより、ＰＣ１００は、ＡさんとＢさんとの間で行われたメッセージ情報を取得すると共に、Ａさんの嗜好がサッカーに関する情報であることを抽出する。そして、ＰＣ１００は、ＥＰＧ情報管理部１１７が管理する電子番組ガイド（ＥＰＧ）から、Ａさんの嗜好に合致するテレビ番組があるか否かを判断し、Ａさんの嗜好に合致するテレビ番組があれば、そのテレビ番組のメタ情報を抽出し、当該テレビ番組の放送日時を認識する。
【００５１】
このとき、ＰＣ１００は、ディスプレイ１２１（図４）に、「２０１２年９月１１日  １８：３０−２１：３０  『２０１４ワールドカップサッカー・アジア地区最終予選』チェックされました。１８：３０からだからね！」のように表示することによりＡさんに通知しても良いし、図示しないスピーカから、その旨発するようにしても良い。
【００５２】
そして、２０１２年９月１１日（当日）の朝、Ａさんが「今日何かあったっけ？」と考えながらＰＣ１００を起動すると、ディスプレイ１２１（図４）に、「今夜放送！！  １８：３０−２１：３０  サッカーワールドカップ  今日は、サッカーがあるから早く帰ってきてね！早く帰れないときは録画しておきます。」といったメッセージが表示される。
【００５３】
なお、このメッセージがＰＣ１００のディスプレイ１２１に表示されるタイミングは、ＡさんがＰＣ１００を起動したタイミングや、ＰＣ１００をシャットダウンするタイミング以外にも、ＡさんがＰＣ１００のアプリケーションソフトウェアを起動している間、ディスプレイ１２１の隅にポップアップ表示により常時表示させるようにしても良い。これにより、Ａさんは、自分の嗜好に合致し、興味関心が高いテレビ番組を見逃さないようにすることができるのである。
【００５４】
また、上述したように、テレビ番組の放送開始時に、Ａさんが現実に当該テレビ番組を現実に視聴しているか否かを判断し、Ａさんが現実に視聴していないと判断すると、自動的に当該テレビ番組を録画しておくことにより、Ａさんは、自分の嗜好に合致したテレビ番組を見逃さずに済むこととなる。
【００５５】
なお、図５に示した本発明の実施形態における情報処理装置（ＰＣ）１００を構成する各機能ブロックの各動作は、コンピュータ上のプログラムに実行させることもできる。すなわち、情報処理装置１００、２００のＣＰＵ１０６が、ＲＯＭ１０２、ＲＡＭ１０３等から構成される記憶部に格納されたプログラムをロードし、プログラムの各処理ステップが順次実行されることによって行われる。
【００５６】
以上説明してきたように、本発明によれば、ユーザの嗜好に合致するコンテンツの受信開始時に、受信したコンテンツの送出を受け表示する表示装置において嗜好を有するユーザがコンテンツを現実に視聴しているか否かを判断する判断手段と、コンテンツの受信開始時にユーザが現実に視聴していないと判断すると、コンテンツを自動的に録画する録画手段と、を含むことにより、ユーザの嗜好に合致し、興味関心が高いテレビ番組をユーザが見逃さないようにすることができるのである。
【００５７】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００５８】
１００、２００    情報処理装置（ＰＣ）
１０１    ＴＶチューナ部
１０２、６０１    ＲＯＭ
１０３    ＲＡＭ
１０４    ＨＤＤ
１０５、６０３    ネットワーク接続部
１０６、６０４    ＣＰＵ
１０７、６０５    表示部
１０８    入力部
１０９、６０７    電源部
１１０、１１１、１１２、１１３    チューナ部
１１４    コンテンツ記録再生部
１１５    動画表示処理部
１１６    映像解析処理部
１１７    ＥＰＧ情報管理部
１１８    関連情報表示部
１１９    関連情報取得記録部
１２０    ネットワーク接続処理部
１２１    ディスプレイ
３００    スマートフォン
４００    ネットワーク
５００    放送局
６００    Ｗｅｂサーバ
６０２    データベース部
６０６    操作部
７００    タブレット端末
【図１】
0006025152.tif 000002
【図２】
0006025152.tif 000003
【図３】
0006025152.tif 000004
【図４】
0006025152.tif 000005
【図５】
0006025152.tif 000006
【図６】
0006025152.tif 000007